(57)【要約】【課題】印刷物の印刷面に傷つけることなく、印刷物の機密を保護することができる機密保護印刷方法および機密保護印刷システムを提供すること。【解決手段】プリンタが機密文書を印刷する際に、機密にすべき内容の機密部を黒（Ｋ）、機密部の背景部を黄（Ｙ）とする背景処理を行って、用紙Ｓに印刷する。照明装置は、プリンタが排紙した用紙に対して青の光を照明する。青の照明を受けることにより、黒の機密部は黒く見えるとともに、黄の背景部は青の照明光を吸収して、黒く見えるようになる。こうして、機密部と背景部とが同じ色に見えるようになって機密部の内容が把握し難くなるので、排紙された用紙Ｓから機密が漏洩することを防ぐことができる。【選択図】図４
2008272960.tif 000002
【特許請求の範囲】
【請求項１】
機密にすべき内容を表す第１の色の機密画像を用紙に印刷するとともに、前記機密画像の周辺領域に第２の色の背景画像を印刷し、
前記機密画像および前記背景画像が印刷された用紙の印刷面に向けて、第３の色の光を照明し、
前記第３の色の光は、
前記第１の色の機密画像が前記第３の色の光を反射する反射光の色と、前記第２の色の背景画像が前記第３の色の光を反射する反射光の色とが略等しくなる分光特性を有することを特徴とする機密保護印刷方法。
【請求項２】
機密にすべき内容を表す第１の色の機密画像を用紙に印刷するとともに、前記機密画像の周辺領域に第２の色の背景画像を印刷し、前記機密画像および前記背景画像が印刷された用紙を排紙する画像形成装置と、
前記排紙後の用紙の印刷面に向けて、第３の色の光を照明する照明装置とを備え、
前記第３の色の光は、
前記第１の色の機密画像が前記第３の色の光を反射する反射光の色と、前記第２の色の背景画像が前記第３の色の光を反射する反射光の色とが略等しくなる分光特性を有することを特徴とする機密保護印刷システム。
【請求項３】
請求項２に記載の機密保護印刷システムにおいて、
前記第１の色は黒であり、
前記第３の色の光は、前記背景画像に吸収される波長の光からなることを特徴とする機密保護印刷システム。
【請求項４】
請求項２または３に記載の機密保護印刷システムにおいて、
前記照明装置は、空間変調された画像光を照明することにより画像を投影可能であり、前記排紙後の用紙における前記機密画像の周辺領域に向けて、前記第３の色の画像を投影することを特徴とする機密保護印刷システム。
【請求項５】
請求項４に記載の機密保護印刷システムにおいて、
前記照明装置は、前記排紙後の用紙における前記機密画像の周辺領域以外の領域に対して、所定パターンの画像を投影することを特徴とする機密保護印刷システム。
【請求項６】
請求項４または５に記載の機密保護印刷システムにおいて、
前記画像形成装置は、前記機密画像の印刷に先行して、第１の位置基準画像を用紙に印刷し、
前記照明装置は、前記第１の位置基準画像が印刷された用紙の印刷面に向けて第２の位置基準画像を投影し、
前記第１の位置基準画像が印刷された用紙を撮像する撮像部と、
前記撮像部により撮像された画像において、前記第１の位置基準画像が撮像された位置と前記第２の位置基準画像が撮像された位置との位置関係に基づいて、位置ずれを検出する位置ずれ検出手段と、
前記検出された位置ずれに応じて前記照明装置の投影位置を修正させる指示を出力する投影位置修正手段とをさらに有することを特徴とする機密保護印刷システム。
【請求項７】
請求項６に記載の機密保護印刷システムにおいて、
前記第１の位置基準画像は、第４の色を有し、
前記第２の位置基準画像は、前記第１の位置基準画像に吸収される波長の光からなる第５の色を有し、
前記位置ずれ検出手段は、前記撮像部が撮像した画像において、前記第４の色または前記第５の色を有する領域に基づいて、前記位置ずれを検出することを特徴とする機密保護印刷システム。
【請求項８】
請求項７に記載の機密保護印刷システムにおいて、
前記第１の位置基準画像および前記第２の位置基準画像は、線幅が異なる複数の線を有し、前記線の線幅と当該線に隣り合う線との間隔とが等しいスリット画像であり、
前記位置ずれ検出手段は、前記撮像された画像において、前記第４の色と前記第５の色とが隣り合う線の線幅に基づいて、位置ずれ量を算出することを特徴とする機密保護印刷システム。
【請求項９】
請求項６ないし８のいずれか一項に記載の機密保護印刷システムにおいて、
前記照明装置は、画像の投影位置を調整可能な投影位置調整機構を有し、
前記投影位置修正手段は、前記検出された位置ずれに基づいて、前記投影位置調整機構に投影位置を修正させることを特徴とする機密保護印刷システム。
【請求項１０】
機密にすべき内容を表す機密画像を用紙に印刷し、
前記機密画像が印刷された用紙に向けて、所定パターンの画像を投影することを特徴とする機密保護印刷方法。
【請求項１１】
機密にすべき内容を表す機密画像を用紙に印刷し、前記機密画像が印刷された用紙を排紙する画像形成装置と、
前記排紙後の用紙に向けて、所定パターンの画像を投影する投影装置とを備えることを特徴とする機密保護印刷システム。
【発明の詳細な説明】
【技術分野】
【０００１】
プリンタなどの印刷装置による機密保護印刷方法および機密保護印刷システムに関する。
【背景技術】
【０００２】
従来のプリンタでは、印刷後の用紙は排紙トレイなどの所定の位置に排紙されるようになっている。このようなプリンタでは、排紙された印刷物が第３者から視認可能な状態に晒されるので、機密文書を印刷する場合などにおいて、排紙トレイに排出された印刷物が第３者に見られるようにして機密が漏洩してしまうことが懸念される。
【０００３】
そこで、印刷物からの機密漏洩を防ぐようにした装置が知られている。例えば、特許文献１に記載の装置では、セキュリティモード時には、印刷物の印刷面を下向きに排紙し、第３者から印刷面が見えないようにすることによって、印刷物からの機密漏洩を防ぐようにしている。
【０００４】
また、印刷物からの機密漏洩を防ぐ他の方法としては、印刷物に布などの暗幕を被せるようにして、印刷物が第３者に見えないようにする方法も考えられる。
【０００５】
【特許文献１】特開２００５−２４７５６１号公報
【発明の開示】
【発明が解決しようとする課題】
【０００６】
しかしながら、特許文献１に記載の装置では、印刷面が下向きに排紙されるため、印刷物が載置される面と印刷面とが排紙中に擦れ合うようにして、印刷物の印刷面を傷つけてしまうことがある。また、印刷物に暗幕を被せるようにした場合についても、用紙の排紙中に印刷物と暗幕とが擦れ合うようにして印刷面を傷つけてしまう可能性がある。
【０００７】
そこで、本発明は、印刷物の印刷面に傷つけることなく、印刷物の機密を保護することができる機密保護印刷方法および機密保護印刷システムを提供することを目的とする。
【課題を解決するための手段】
【０００８】
上記目的を達成する本発明の機密保護印刷方法は、機密にすべき内容を表す第１の色の機密画像を用紙に印刷するとともに、機密画像の周辺領域に第２の色の背景画像を印刷し、機密画像および背景画像が印刷された用紙の印刷面に向けて、第３の色の光を照明し第３の色の光は、第１の色の機密画像が第３の色の光を反射する反射光の色と、第２の色の背景画像が第３の色の光を反射する反射光の色とが略等しくなる分光特性を有することを特徴とする。
【０００９】
本発明の機密保護印刷システムは、機密にすべき内容を表す第１の色の機密画像を用紙に印刷するとともに、機密画像の周辺領域に第２の色の背景画像を印刷し、機密画像および背景画像が印刷された用紙を排紙する画像形成装置と、排紙後の用紙の印刷面に向けて、第３の色の光を照明する照明装置とを備え、第３の色の光は、第１の色の機密画像が第３の色の光を反射する反射光の色と、第２の色の背景画像が第３の色の光を反射する反射光の色とが略等しくなる分光特性を有することを特徴とする。
【００１０】
これらの構成によれば、排紙後の用紙の印刷面に第３の色の光が照明されることにより、機密画像とその周辺の背景画像が略等しい色に見えるようになるので、排紙後の用紙から機密画像の内容を把握することが困難になる。したがって、排紙後の用紙からの機密漏洩を防いで、印刷物の機密を保護することができる。また、排紙後の用紙に対して非接触であるため、印刷物を傷つけることなく、機密を保護することが可能である。
【００１１】
また、本発明の機密保護印刷システムにおいて、第１の色は黒であり、第３の色の光は、背景画像に吸収される波長の光からなることが好ましい。
【００１２】
この構成によれば、黒の機密画像の周辺領域に印刷される背景画像が照明光を吸収することにより、排紙後の用紙に印刷された機密画像および周辺領域が黒く見えるようになるので、機密画像の内容を把握することが困難になる。したがって、排紙後の用紙からの機密漏洩を防ぐことができる。
【００１３】
また、本発明の機密保護印刷システムにおいて、照明装置は、空間変調された画像光を照明することにより画像を投影可能であり、排紙後の用紙における機密画像の周辺領域に向けて、第３の色の画像を投影することが好ましい。
【００１４】
この構成によれば、排紙後の用紙における機密画像の周辺領域に第３の色の画像が投影されることにより、背景画像と機密画像とが略等しい色に見えるようになるので、排紙後の用紙からの機密漏洩を防ぐことができる。
【００１５】
また、本発明の機密保護印刷システムにおいて、照明装置は、排紙後の用紙における機密画像の周辺領域以外の領域に対して、所定パターンの画像を投影することが好ましい。
【００１６】
この構成によれば、機密画像の周辺領域以外には、所定パターンの画像が投影されることにより、機密画像およびその周辺の背景画像が所定パターンの画像に紛れるようにして、機密画像の内容を把握することが困難になるので、排紙後の用紙からの機密漏洩を防ぐことができる。
【００１７】
また、本発明の機密保護印刷システムにおいて、画像形成装置は、機密画像の印刷に先行して、第１の位置基準画像を用紙に印刷し、照明装置は、第１の位置基準画像が印刷された用紙の印刷面に向けて第２の位置基準画像を投影し、第１の位置基準画像が印刷された用紙を撮像する撮像部と、撮像部により撮像された画像において、第１の位置基準画像が撮像された位置と第２の位置基準画像が撮像された位置との位置関係に基づいて、位置ずれを検出する位置ずれ検出手段と、検出された位置ずれに応じて照明装置の投影位置を修正させる指示を出力する投影位置修正手段とをさらに有することが好ましい。
【００１８】
この構成によれば、出力された指示に応じて、機密画像の周辺領域と照明装置による第３の色の画像の投影位置との位置ずれが修正されるので、排紙後の用紙からの機密漏洩をより確実に防ぐことができる。
【００１９】
また、本発明の機密保護印刷システムにおいて、第１の位置基準画像は、第４の色を有し、第２の位置基準画像は、第１の位置基準画像に吸収される波長の光からなる第５の色を有し、位置ずれ検出手段は、撮像部が撮像した画像において、第４の色または第５の色を有する領域に基づいて、位置ずれを検出することが好ましい。
【００２０】
この構成によれば、投影された第２の位置基準画像は、第１の位置基準画像に重なる部分では第５の色の光が吸収されて、黒く見えるようになる一方、第１の位置基準画像に重なっていない部分は第５の色に見えるようになる。また、第２の位置基準画像と重なっていない第１の位置基準画像の領域は第４の色に見えるようになる。したがって、第４の色または第５の色を有する領域から、位置ずれを検出することができる。
【００２１】
また、本発明の機密保護印刷システムにおいて、第１の位置基準画像および第２の位置基準画像は、線幅が異なる複数の線を有し、線の線幅と当該線に隣り合う線との間隔とが等しいスリット画像であり、位置ずれ検出手段は、撮像された画像において、第４の色と第５の色とが隣り合う線の線幅に基づいて、位置ずれ量を算出することが好ましい。
【００２２】
この構成によれば、第１の位置基準画像に対して第２の位置基準画像の投影位置にずれが生じている場合、スリット画像を構成する複数の線のうち、位置ずれ量と等しい線幅の線については、第２の位置基準画像の線が第１の位置基準画像の線にちょうど挟まれるようにして、第４の色と第５の色が隣り合うことになる。一方、位置ずれ量と異なる線幅の線については、線の一部が重なり合って黒く見えるようになる。したがって、第４の色と第５の色とが隣り合う線の線幅に基づいて位置ずれ量を求めることができる。
【００２３】
また、本発明の機密保護印刷システムにおいて、照明装置は、画像の投影位置を調整可能な投影位置調整機構を有し、投影位置修正手段は、検出された位置ずれに基づいて、投影位置調整機構に投影位置を修正させることが好ましい。
【００２４】
この構成によれば、投影位置調整機構が投影位置を修正するようにして、照明装置が投影位置を修正することにより、排紙後の用紙からの機密漏洩をより確実に防ぐことができるようになる。
【００２５】
本発明のもう１つの態様である機密保護印刷方法は、機密にすべき内容を表す機密画像を用紙に印刷し、機密画像が印刷された用紙に向けて、所定パターンの画像を投影することを特徴とする。
【００２６】
本発明のもう１つの態様である機密保護印刷システムは、機密にすべき内容を表す機密画像を用紙に印刷し、機密画像が印刷された用紙を排紙する画像形成装置と、排紙後の用紙に向けて、所定パターンの画像を投影する投影装置とを備えることを特徴とする。
【００２７】
これらの構成によれば、機密画像の周辺領域以外には所定パターンの画像が投影されることにより、機密画像が所定パターンの画像に紛れるようにして、排紙後の用紙から機密画像の内容を把握することが困難になる。したがって、排紙後の用紙からの機密漏洩を防いで、印刷物の機密を保護することができる。
【発明を実施するための最良の形態】
【００２８】
（第１の実施例）
以下、本発明に係る実施形態の第１の実施例について図面を参照して説明する。
【００２９】
図１は、第１の実施例に係る機密保護印刷システムの概略構成を示した図である。図１に示すように、機密保護印刷システム１は、プリンタ（画像形成装置）１０と、プリンタ１０に接続されたホストコンピュータ２０と、照明装置３０とを備えている。なお、この機密保護印刷システム１は、プリンタ１０が排紙した印刷物から機密が漏洩することを防ぐことにより、印刷物の機密を保護するものである。
【００３０】
プリンタ１０は、いわゆるラージフォーマットプリンタであり、図１に示す所定の排紙位置に印刷後の用紙Ｓを排出するようになっている。照明装置３０は、所定の色の光により照明する装置であり、用紙Ｓが排紙される位置に向けて照明するように設置されている。本実施例では、照明装置３０は青（Ｂ）の光を照明するものとする。照明装置３０は、例えば、ランプ光源および青の光を透過させるカラーフィルタ、もしくは青色ＬＥＤ（Light Emitting Diode）を備えることにより青の光を照明可能に構成される。なお、機密保護印刷システム１は暗室に設置されており、照明装置３０の照明以外の光がプリンタ１０に対して差し込むことがほぼない暗環境におかれている。
【００３１】
次に、プリンタ１０の構成について説明する。図２に示すように、プリンタ１０は、プリンタ１０の動作を制御する印刷制御部１００と、印刷制御部１００からの制御に従って印刷を行う印刷エンジン２００とを有している。
【００３２】
印刷エンジン２００は、印刷制御部１００からの制御に従って用紙Ｓに画像を印刷する画像形成機構２１０と、用紙Ｓの給排紙を行う紙搬送機構２２０とを有している。紙搬送機構２２０が画像形成機構２１０に用紙Ｓを給紙し、給紙された用紙Ｓの表面に対して画像形成機構２１０が画像を印刷する。印刷後の用紙Ｓは紙搬送機構２２０により所定の排紙位置に排紙される。
【００３３】
印刷制御部１００は、プリンタ１０の主制御装置であるＣＰＵ１１０と、制御プログラムなどを記憶したＲＯＭ１２０と、入力バッファやワーキングメモリなどに用いられるＲＡＭ１３０と、ホストコンピュータ２０と通信して印刷データを受信する通信インターフェイス（以下、「通信Ｉ／Ｆ」という）１４０と、印刷エンジン２００に画像信号を出力するエンジンインターフェイス（以下、「エンジンＩ／Ｆ」という）１５０とを有している。通信Ｉ／Ｆ１４０は、ケーブルなどによりホストコンピュータ２０と接続され、ホストコンピュータ２０とのデータ通信を行う。エンジンＩ／Ｆ１５０は、印刷エンジン２００とのインターフェイス部分であり、ホストコンピュータ２０から受信した印刷データに対してスクリーン処理、パルス幅変調などの処理をＣＰＵ１１０と協働して行い、パルス幅変調後の画像信号を印刷エンジン２００に出力する。エンジンＩ／Ｆ１５０は、上述した機能をもつＡＳＩＣ（Application Specific Integrated Circuit）で構成されている。
【００３４】
ここで、印刷制御部１００のＣＰＵ１１０は、ＲＯＭ１２０に記憶されたプログラムを実行することにより機密保護印刷制御手段１１１として機能する。機密保護印刷制御手段１１１は、ホストコンピュータ２０から受信した印刷データに所定の背景処理を施すことにより、印刷画像を生成する。例えば、受信した印刷データがＰＤＬで記述されている場合、機密保護印刷制御手段１１１は、ＰＤＬのコマンドを解釈し、所定の背景色を指定して描画を行う背景処理により、指定された背景色をもつ印刷画像のデータを生成する。ここで、背景色は、照明装置３０の照明光の色と補色となるように指定される。本実施例では、照明光を青としたので、背景色が黄に設定される。機密保護印刷制御手段１１１は、生成したデータをエンジンＩ／Ｆ１５０を介して印刷エンジン２００に出力して、印刷画像を印刷させる。
【００３５】
印刷画像についてさらに説明する。図３（ａ）は印刷データの原画像、図３（ｂ）は印刷画像の一例を示した図である。図３（ａ）に示すように、印刷データの原画像ＯＧには、機密文書の内容を表す機密部（機密画像）ＳＥが含まれている。この機密部ＳＥの色は黒（Ｋ）である。一方、図３（ｂ）に示すように、印刷画像ＩＧは、黒の機密部ＳＥの周辺に、黄の背景色をもつ背景部（背景画像）ＢＧが設定される。このように、機密保護印刷制御手段１１１は、印刷データの原画像に対して、背景部ＢＧが照明光の色と補色になるよう設定された印刷画像ＩＧを生成する。なお、機密部ＳＥの印刷内容としては、図３に示すテキストに限られることなく、イメージや図形などであってもよい。
【００３６】
次に、機密保護印刷システム１による印刷動作について説明する。ホストコンピュータ２０から通信Ｉ／Ｆ１４０を介して機密文書の印刷データを受信すると、機密保護印刷制御手段１１１は、受信した印刷データに背景処理を施し、背景色が黄の印刷画像ＩＧを生成する。そして、印刷制御部１００は、エンジンＩ／Ｆ１５０を介して印刷エンジン２００を制御し、印刷画像ＩＧを印刷させる。印刷画像ＩＧが印刷された用紙Ｓは、紙搬送機構２２０により排紙位置に排紙される。このとき、排紙された用紙Ｓの印刷面は、照明装置３０から青光の照明を受け、青色照明環境におかれる。
【００３７】
図４（ａ）は白色照明環境における印刷画像印刷後の用紙、図４（ｂ）は青色照明環境における印刷画像印刷後の用紙を示している。図４（ａ）に示すように、白色照明環境では、印刷画像ＩＧの機密部ＳＥは黒く見え、背景部ＢＧは黄に見える。一方、青色照明環境では、黄の背景部ＢＧは青の照明光を吸収するので、図４（ｂ）に示すように機密部ＳＥおよびその周辺の背景部ＢＧが黒く見えるようになる。
【００３８】
背景部および照明光の分光特性の一例を示した図５を用いてさらに説明する。図５では、背景部ＢＧの分光反射率特性Ｒを実線、青の照明光の分光特性Ｔを破線で示している。分光反射率特性Ｒに示すように、黄の背景部ＢＧは波長λの短い青の波長域の光を吸収し、青より波長λが長い緑〜赤の光を反射する。この背景部ＢＧに対して白色光を照明すると、背景部ＢＧは白色光のうち青の波長の光を吸収し、緑〜赤の光を反射するので、背景部ＢＧが黄色に見える（図４（ａ）参照）。一方、背景部ＢＧに対して分光特性Ｔをもつ青の光を照明すると、背景部ＢＧが青の波長域の光を吸収するので、背景部ＢＧの反射光が青〜赤の可視領域でほぼなくなって黒く見えるようになる（図４（ｂ）参照）。これにより、機密部ＳＥおよび背景部ＢＧが黒く見えるようになる。
【００３９】
第１の実施例によれば、以下の効果を得ることができる。
【００４０】
（１）機密部ＳＥおよび背景部ＢＧが黒く見えるようになるので、第３者が、プリンタ１０から排紙される用紙Ｓに印刷された印刷画像ＩＧを見ても、背景部ＢＧと機密部ＳＥとを区別できなくなり、機密部ＳＥの文字を読み取ることが困難になる。このため、排紙された用紙Ｓを見ようとする第３者から機密文書の内容を隠蔽するようにして機密の漏洩を防ぎ、印刷物の機密を保護することができる。
【００４１】
（２）機密を保護するための照明は用紙Ｓの印刷面に対して非接触であるので、用紙Ｓの印刷面を傷つけることなく、機密を保護することができる。
【００４２】
（３）例えば、用紙Ｓの排紙中、用紙Ｓの一部しか外部に排出されていない状態であっても、照明装置３０からの青色照明を受けて、機密部ＳＥの内容を隠蔽することができる。このように、印刷中であっても機密部ＳＥの内容を隠蔽することができるので、機密文書の機密を確実に保護することができる。
【００４３】
（４）照明により機密を保護するようにしているので、用紙サイズに関わらずに機密を保護することが可能である。このため、例えば、ラージフォーマットプリンタのように用紙サイズが大きい場合であっても、簡易な構成で印刷物の機密保護を実現できる。
【００４４】
（第２の実施例）
次に、本発明の第２の実施例について説明する。図６は、第２の実施例に係る機密保護印刷システムの概略構成を示した図である。図６に示すように、機密保護印刷システム１は、プリンタ１０と、ホストコンピュータ２０と、プロジェクタ（照明装置）４０とを備えており、プロジェクタ４０はプリンタ１０の通信Ｉ／Ｆ１４０と接続されている。また、プロジェクタ４０は、プリンタ１０の用紙排紙位置に向けて画像を投影するように設置されている。
【００４５】
第２の実施例では、プリンタ１０は、印刷データの原画像に対して背景処理を行うことなく、図７（ａ）に示すように印刷データの原画像を印刷して、印刷画像ＩＧが印刷された用紙Ｓを排紙する。機密保護印刷制御手段１１１は、所定の背景パターンの投影画像ＴＧを生成して、通信Ｉ／Ｆ１４０を介してプロジェクタ４０に出力する。図７（ｂ）の例では、文字列を繰り返し配列した背景パターンを投影画像ＴＧとしている。機密保護印刷制御手段１１１は、投影画像ＴＧの画像データをプロジェクタ４０に出力することにより、排紙された用紙Ｓの印刷面に向けて投影画像ＴＧを投影させる。これにより、図７（ｃ）に示すように、排紙された用紙Ｓの機密部ＳＥ周辺には複数の文字列が配列されて見えるようになる。なお、画像を投影する手段としては、プロジェクタに限られず、図７（ｂ）のような画像のスライドに光を照射することによって、スライドを投影する構成としてもよい。
【００４６】
第２の実施例によれば、第１の実施例の（２）〜（４）の効果に加えて、以下の効果を得ることができる。
【００４７】
（５）機密部ＳＥの文字が周辺の文字に紛れるようにして、排紙された用紙Ｓから機密部ＳＥの内容を読み取ることが困難になるので、排紙された印刷物の機密を保護することができる。
【００４８】
（第３の実施例）
次に、本発明の第３の実施例について説明する。第３の実施例に係る機密保護印刷システム１の概略構成は第２の実施例と同様に、プリンタ１０と、ホストコンピュータ２０と、プロジェクタ４０とを備えた構成である。以下、第３の実施例について説明する。
【００４９】
図８は、第３の実施例に係るプロジェクタ４０の構成を示した図である。図８に示すように、プロジェクタ４０は、表示制御部３００と、光学エンジン４００と、撮像素子（撮像部）５００とを備えている。
【００５０】
光学エンジン４００は、ライトバルブ４１０と、照明光学系４２０と、投写レンズ４３０とを有している。照明光学系４２０はランプ、レンズアレイ、重畳レンズなどを有したインテグレータ照明系であり、ライトバルブ４１０を均一に照明する。ライトバルブ４１０は照明光学系４２０により照明された光を空間変調して画像光に変換する。ライトバルブ４１０の例としては、透過型液晶パネル、反射型液晶パネル、ＤＭＤ（Digital Micromirror Device）などが挙げられる。投写レンズ４３０は、変調された画像光を投影する。ここで、プロジェクタ４０の画像投影方向はプリンタ１０の排紙位置に向けられており、ライトバルブ４１０により変調された画像は、排紙された用紙Ｓに投影される。
【００５１】
撮像素子５００は、ＣＣＤやＣ−ＭＯＳなどの光センサであり、取り込んだ光を光電変換することにより画像信号を生成する。なお、撮像素子５００の撮像方向は、画像投影方向と同様にプリンタ１０の排紙位置に向けられており、排紙された用紙Ｓを撮像することができる。
【００５２】
表示制御部３００は、プロジェクタ４０の主制御装置であるＣＰＵ３１０と、制御プログラムなどが記憶されたＲＯＭ３２０と、ワーキングメモリなどとして用いられるＲＡＭ３３０と、撮像素子５００が生成した画像信号を画像データに変換する信号処理部３４０と、ライトバルブ４１０を駆動させるＬ／Ｖ駆動部３５０と、プリンタ１０と通信を行う通信Ｉ／Ｆ３６０とを備えている。
【００５３】
第３の実施例では、プリンタ１０の機密保護印刷制御手段１１１は、印刷データの原画像に対して背景処理を施すとともに、背景色なしの領域が設定された印刷画像を生成して、印刷させる。背景色なしの領域を設定したのは、例えば、写真などのイメージ領域については、背景色が色付けられると不都合であるためである。したがって、図９（ａ）に示すように、黒の機密部ＳＥ、所定の背景色（黄）の背景部ＢＧ、および背景色なしの領域ＮＢＧを有する印刷画像ＩＧが用紙Ｓに印刷される。
【００５４】
このとき、プロジェクタ４０による投影画像ＴＧは、図９（ｂ）に示すように、機密部ＳＥに対応する位置の周辺を占める領域ＰＥが青に設定されるとともに、他の領域ＣＡＭ１，ＣＡＭ２についても青に設定される。青に設定された領域ＰＥ，ＣＡＭ１，ＣＡＭ２以外の領域については、所定の背景パターンが設定される。プリンタ１０の機密保護印刷制御手段１１１は、図９（ｂ）に示すような投影画像ＴＧを生成してプロジェクタ４０に出力することにより、プリンタ１０の用紙排紙位置に向けて投影画像ＴＧを投影させる。
【００５５】
図９（ａ）に示す印刷画像ＩＧが印刷された用紙Ｓに対して、図９（ｂ）に示す投影画像ＴＧを投影すると、図９（ｃ）に示すように、排紙された用紙Ｓにおける機密部ＳＥおよび背景部ＢＧは黒く見えるようになり、機密部ＳＥの機密が保護される。また、領域ＣＡＭ１，ＣＡＭ２についても黒く見えるようになるので、第３者が排紙後の用紙Ｓを見ても、黒く見える複数の領域に紛れるようにして機密部ＳＥの位置がカムフラージュされる。
【００５６】
ここで、機密部ＳＥを黒く見せて機密を確実に保護するためには、投影画像ＴＧの周辺部ＰＥと印刷画像ＩＧの機密部ＳＥとが重なるようにプロジェクタ４０の投影位置を調整する必要がある。そこで、ＣＰＵ３１０が、ＲＯＭ３２０に記憶されたプログラムを実行することにより、投影ずれ検出手段３１１および投影位置修正手段３１２が機能する。
【００５７】
投影ずれ検出手段３１１は、投影位置の位置ずれを検出する処理を行う。位置ずれの詳細な検出方法については後述するが、基本的には、プリンタ１０に位置ずれ検出用の印刷画像を印刷させるとともに、排紙後の用紙Ｓに位置ずれ検出用の投影画像を投影し、用紙Ｓに印刷された印刷画像と投影された投影画像とを合わせて撮像素子５００に撮像させる。そして、撮像された画像における印刷画像の位置と投影画像の位置との位置ずれを求めることにより、投影位置の位置ずれを検出する。
【００５８】
投影位置修正手段３１２は、検出された位置ずれを修正する旨の指示を出す処理を行う。ここで、指示の出し方としては、投影位置の修正を促すメッセージの画像を投影するようプロジェクタ４０を制御するようにしてもよいし、プロジェクタ４０にスピーカが設けられていれば、音声により修正するようユーザに指示を出すようにしてもよい。これらの指示に従って、ユーザがプロジェクタ４０の投影位置を調整することによって、機密部ＳＥが黒く見えるようになり、機密を保護することができる。
【００５９】
次に、投影ずれ検出手段３１１が行う位置ずれ検出方法について詳細に説明する。なお、以下では、位置ずれ検出方法の例として２つの方法（位置ずれ検出方法１，２）を挙げて説明する。
【００６０】
（位置ずれ検出方法１）
位置ずれ検出方法１では、機密保護印刷制御手段１１１が、格子状の位置補正印刷画像をプリンタ１０に印刷させるとともに、投影ずれ検出手段３１１は、排紙後の用紙Ｓに対して格子状の位置補正投影画像をプロジェクタ４０に投影させる。図１０（ａ）に示すように、位置補正印刷画像ＩＨＧは、縦横一定間隔で交差する線により構成される格子部ＧＲａと、格子部ＧＲａの線間を占める格子背景部ＢＧＲａとを含む。図１０（ａ）の例では、格子部ＧＲａは黄、格子背景部ＢＧＲａは青である。一方、図１０（ｂ）に示すように、位置補正投影画像ＴＨＧは、位置補正印刷画像ＩＨＧと同様に、格子部ＧＲｂと格子背景部ＢＧＲｂとを含み、格子部ＧＲｂは青、格子背景部ＢＧＲｂは黄に設定されている。
【００６１】
すなわち、位置補正印刷画像ＩＨＧ、位置補正投影画像ＴＨＧのそれぞれにおいて格子部ＧＲの色と格子背景部ＢＧＲの色は互いに補色となっており、格子部ＧＲａ，ＧＲｂ間の色、および格子背景部ＢＧＲａ，ＢＧＲｂ間の色も互いに補色である。このため、位置補正印刷画像ＩＨＧが印刷された用紙Ｓに対して、位置補正投影画像ＴＨＧが投影されると、投影位置にずれがない場合は、図１１（ａ）に示すように格子部ＧＲａ，ＧＲｂが重なり合うとともに格子背景部ＢＧＲａ，ＢＧＲｂが重なり合う。このとき、格子部ＧＲおよび背景部ＢＧの双方で投影された光が吸収されることとなって、用紙Ｓの印刷面全体が黒く見えるようになる。
【００６２】
一方、プロジェクタ４０の投影位置にずれがある場合、図１１（ｂ）に示すように、格子部ＧＲａ，ＧＲｂが重なり合う領域については黒く見えるが、互いにはみ出た領域は黄または青に見えるようになる。同様に、格子背景部ＢＧＲａ，ＢＧＲｂについても、重なり合う領域は黒く見えるが、互いにはみ出た領域は黄または青に見えるようになる。
【００６３】
したがって、位置ずれ検出方法１によれば、黄または青の色付きの有無により投影位置がずれているか否かが分かる。そこで、投影ずれ検出手段３１１は、位置補正印刷画像ＩＨＧが印刷された用紙Ｓに対して位置補正投影画像ＴＨＧを投影させ、位置補正投影画像ＴＨＧが投影された用紙Ｓの画像を、撮像素子５００に読み取らせる。そして、撮像素子５００に読み取らせた画像に黄または青の色付きがあるかを判断して、黄または青の領域があれば投影位置がずれていると判断する。投影位置がずれていると判断されると、投影位置修正手段３１２は、図１１（ａ）に示すように色付きがなくなるようプロジェクタ４０の投影位置を修正する旨の指示をユーザに出すことにより、ユーザに投影位置の位置合わせを行わせる。ユーザはプロジェクタ４０本体を動かすか、またはプロジェクタ４０が手動レンズシフト機能を有していれば、ユーザが投写レンズをレンズシフトさせることにより投影位置の位置合わせを行う。こうして印刷画像と投影画像との位置ずれを修正することにより、機密部ＳＥと周辺部ＰＥの投影位置とが重なり合うよう位置調整されるので、印刷された用紙Ｓの機密部ＳＥは確実に黒く見えるようになる。
【００６４】
（位置ずれ検出方法２）
次に、位置ずれ検出方法２について説明する。位置ずれ検出方法２では、矩形状の位置基準を印刷および投影することにより、位置ずれの方向を検出する。図１２（ａ）に、プリンタ１０によって印刷される位置補正印刷画像ＩＨＧ、図１２（ｂ）に、プロジェクタ４０によって投影される位置補正投影画像ＴＨＧの一例を示す。図１２（ａ）に示すように、位置補正印刷画像ＩＨＧは、４隅に加えて中央の合計５箇所に設けられる矩形状の位置基準（第１の位置基準画像）ＳＴａと、位置基準ＳＴａを除いた領域の背景部ＢＧ２ａとを含む。図１２（ａ）では、位置基準ＳＴａは青、背景部ＢＧ２ａは黄である。一方、図１２（ｂ）に示すように、位置補正投影画像ＴＨＧは、位置補正印刷画像ＩＨＧと同様に、位置基準（第２の位置基準画像）ＳＴｂと背景部ＢＧ２ｂとを含み、位置基準ＳＴｂは黄、背景部ＢＧ２ｂは青に設定されている。
【００６５】
すなわち、位置補正印刷画像ＩＨＧ、位置補正投影画像ＴＨＧのそれぞれにおいて位置基準ＳＴの色と背景部ＢＧ２の色は互いに補色であり、位置基準ＳＴａ，ＳＴｂ間の色、背景部ＢＧ２ａ，ＢＧ２ｂ間の色も互いに補色になっている。このため、位置補正印刷画像ＩＨＧが印刷された用紙Ｓに対して、位置補正投影画像ＴＨＧが投影されると、投影位置にずれがない場合は、位置基準ＳＴａ，ＳＴｂが重なり合うとともに、背景部ＢＧ２ａ，ＢＧ２ｂが重なり合うので、位置基準ＳＴおよび背景部ＢＧ２の双方で投影した光成分が吸収されることとなって、用紙Ｓの印刷面全体が黒く見えるようになる。一方、プロジェクタ４０の投影位置にずれがある場合、位置基準ＳＴと背景部ＢＧ２とが重なり合う領域については黒く見えるが、互いにはみ出た領域は黄または青に見えるようになる。
【００６６】
また、位置ずれ検出方法２の方法では位置ずれの方向を検出する。位置ずれの方向は、位置ずれ検出方法１と同様にして撮像素子５００に読み取らせた画像において、図１２（ｃ）に例として示すように、位置補正投影画像ＴＨＧの位置基準ＳＴｂの中央を通って上下に延びる所定のラインＡ−Ａ’に沿って開始位置Ａから終端位置Ａ’にスキャンし、位置基準ＳＴａ，ＳＴｂが重なり合う領域からはみ出た部分が黄または青のいずれであるかにより判断する。図１２（ｃ）の例では、下から上方向に向って開始位置ＡからＡ’にスキャンすると、青の画素より先に黄の画素が探索されるので下方向にずれていると判断する（図１２（ｃ）の矢印参照）。これは、投影位置のずれにより黄の位置基準ＳＴｂが位置基準ＳＴａより下側にずれるようにして、位置基準ＳＴａより下側に位置基準ＳＴｂがはみ出た部分が黄色く現れていると判断されるからである。次に、図１３のフローチャートに従って上下方向についての位置ずれ方向を決定する処理について説明する。
【００６７】
処理を開始すると、機密保護印刷制御手段１１１は、位置補正印刷画像ＩＨＧをプリンタ１０に印刷させる（ステップＳ１００）。次に、投影ずれ検出手段３１１は、排紙された用紙Ｓの印刷面に向けて、プロジェクタ４０に位置補正投影画像ＴＨＧを投影させる（ステップＳ１０５）。そして、排紙された用紙Ｓを、プロジェクタ４０の撮像素子５００に撮像させて、ビットマップ画像を生成する（ステップＳ１１０）。
【００６８】
次に、投影ずれ検出手段３１１は、生成したビットマップ画像においてスキャンの開始画素に注目する（ステップＳ１１５）。図１２（ｃ）の例では、スキャン開始位置Ａの画素に注目する。
【００６９】
次に、投影ずれ検出手段３１１は、注目画素が、ラインＡ−Ａ’の終端画素、すなわち終端位置Ａ’の画素であるか否かを判断する（ステップＳ１２０）。終端画素であれば（ステップＳ１２０：Ｙｅｓ）、ステップＳ１２５に進む。終端画素でなければ（ステップＳ１２０：Ｎｏ）、ステップＳ１３０に進む。
【００７０】
ステップＳ１３０に処理が進むと、注目画素の色が黒であるか否かを判断する。注目画素が黒であれば（ステップＳ１３０：Ｙｅｓ）、ラインＡ−Ａ’上の次の画素に注目して（ステップＳ１３５）、ステップＳ１２０に戻る。ステップＳ１２０，Ｓ１３０の判断を繰り返しながら注目画素を次々に進めるようにして、注目画素の色が黒でなくなれば（ステップＳ１３０：Ｎｏ）、ステップＳ１４０に進む。
【００７１】
ステップＳ１４０に処理が進むと、投影ずれ検出手段３１１は、注目画素の色が黄であるか否かを判断する。注目画素の色が黄であれば（ステップＳ１４０：Ｙｅｓ）、ステップＳ１４５に進んで、投影位置の位置ずれ方向が下であると決定する。注目画素の色が黄でなければ（ステップＳ１４０：Ｎｏ）、ステップＳ１５０に進んで、注目画素の色が青であるか否かを判断する。注目画素の色が青であれば（ステップＳ１５０：Ｙｅｓ）、ステップＳ１５５に進んで、投影位置の位置ずれ方向が上であると決定する。注目画素の色が青でなければ（ステップＳ１５０：Ｎｏ）、注目画素が黒、黄、青以外の色となっており、用紙Ｓの撮像が適切に行われなかったと想定されるので、ステップＳ１００に戻って、位置補正印刷画像ＩＨＧの印刷を再び試みる。
【００７２】
また、ステップＳ１２０において、ラインＡ−Ａ’上の画素を次々に注目するようにして終端位置Ａ’までスキャンしても、黒でない画素がない場合（ステップＳ１２０：Ｙｅｓ）、ステップＳ１２５に処理が進んで、図１１（ａ）に示すように位置補正印刷画像ＩＨＧと位置補正投影画像ＴＨＧとに位置ずれがないと判断して、投影位置の位置ずれなしに決定する。
【００７３】
ステップＳ１２５において位置ずれなしと決定されるか、ステップＳ１４５，Ｓ１５５において位置ずれ方向が決定されると、図１３の処理を終了する。
【００７４】
なお、上述の説明では上下の位置ずれ方向を求める方法について述べたが、左右についても同様にして位置ずれ方向を決定する。
【００７５】
位置ずれ検出方法２により位置ずれの方向を検出した場合、投影位置修正手段３１２は位置ずれがある旨に加えて、さらに位置ずれを修正する方向を指示することにより、ユーザに投影位置を修正させる。指示を出す方法としては、投影位置の修正を促すメッセージとともに、ずれ方向の反対向きの矢印を表した投影画像をプロジェクタ４０に投影させるとよい。もっとも、指示の形態としては、音声により指示を出すようにしてもよいし、ホストコンピュータ２０のディスプレイに位置ずれの修正を指示する画面を表示するようにしてもよい。指示を受けたユーザは、プロジェクタ４０本体の位置を修正して位置合わせを行う。こうして、プロジェクタ４０の投影位置とプリンタ１０の用紙排紙位置との位置ずれが修正されてから、プリンタ１０は図９（ａ）のように機密文書の印刷画像ＩＧを印刷する。
【００７６】
第３の実施例によれば、第１の実施例の（１）〜（４）の効果に加えて、以下の効果を得ることができる。
（６）位置ずれがあった場合に、機密部ＳＥおよびその周辺が黒く見えるように投影位置の位置ずれが修正されるので、機密部ＳＥの内容が確実に隠蔽される。したがって、機密部ＳＥの機密をより確実に保護することができるようになる。
【００７７】
（７）投影画像ＴＧに青の領域ＣＡＭ１，ＣＡＭ２を含ませるようにしたので、図９（ｃ）に示すように、背景部ＢＧ２以外にも、黒く見える領域ＣＡＭ１，ＣＡＭ２が現れる。これにより、第３者にとって、排紙された用紙Ｓのどの部位に機密部ＳＥが印刷されているかが分からないようカムフラージュされるので、より確実に機密を保護することができる。
【００７８】
（８）背景色を色付けしていない領域ＮＢＧについては、所定の背景パターンが投影されるため、図９（ｃ）に示すように領域ＮＢＧの内容を把握し難くなる。したがって、例えば、イメージなど、背景色を色付けすることが望まれないような領域についても機密を保護することができる。
【００７９】
（第４の実施例）
次に、本発明に係る第４の実施例について説明する。第４の実施例は、第３の実施例において説明した位置ずれ検出方法２に比べて、位置基準をスリット形状にした点において異なり、スリット状の位置基準を用いて位置ずれ方向に加えてさらに位置ずれの補正量を求める。さらに、求められた位置ずれ方向および補正量に応じた投影位置の修正は、プロジェクタ４０の電動レンズシフト機能を利用して行う。
【００８０】
図１４は、第４の実施例に係るプロジェクタ４０の構成を示した図である。図１４に示すように、プロジェクタ４０は、光学エンジン４００と、撮像素子５００と、レンズシフト機構（投影位置調整機構）６００と、表示制御部３００とを備えている。レンズシフト機構６００は、投写レンズ４３０を光線出射方向に対して垂直な面内で移動させるための機構であり、投写レンズ４３０を縦横２軸で移動可能に支持するステージ、投写レンズ４３０を移動させるアクチュエータなどにより構成されている。また、表示制御部３００は、ＣＰＵ３１０、ＲＯＭ３２０、ＲＡＭ３３０、信号処理部３４０、Ｌ／Ｖ駆動部３５０、通信Ｉ／Ｆ３６０に加えて、レンズシフト機構６００に接続する内部インターフェイス（内部Ｉ／Ｆ）３７０を有している。表示制御部３００からの制御に応じてレンズシフト機構６００が投写レンズ４３０の位置を移動させることによって、プロジェクタ４０は投影画像の投影位置を調整することができる。
【００８１】
次に、位置補正方法について説明する。図１５（ａ）は位置補正印刷画像、図１５（ｂ）は位置補正投影画像の一例を示した図である。図１５（ａ）に示すように、位置補正印刷画像ＩＨＧは、画像の４隅および中央の合計５箇所に設けられたスリット状の位置基準ＳＴａと、背景部ＢＧ２ａとを有している。スリット状の位置基準ＳＴａは、幅が異なる複数の線を縦横に組み合わせて構成されている。図１５（ａ）の例では、位置基準ＳＴａは、縦横の各々の方向について、幅が「ａ，ｂ，ｃ，ｄ，ｃ，ｂ，ａ」である７本の線を順次並べた構成になっている。また、スリット間の幅は、順に「ａ，ｂ，ｃ，ｃ，ｂ，ａ」となっていて、幅「ａ，ｂ，ｃ」をもつスリットの線の各々は、その線と同じ幅のスリット間隙が隣り合うようになっている。なお、位置補正印刷画像ＩＨＧの位置基準ＳＴａの線の色は青であり、背景部ＢＧ２ａの色は黄とする。
【００８２】
位置補正投影画像ＴＨＧは、図１５（ｂ）に示すように、位置補正印刷画像ＩＨＧの位置基準ＳＴａと同形状の位置基準ＳＴｂと、背景部ＢＧ２ｂとを有している。色については、位置基準ＳＴｂの線は黄であり、背景部ＢＧ２ｂは青である。すなわち、位置補正印刷画像ＩＨＧの位置基準ＳＴａと位置補正投影画像ＴＨＧの位置基準ＳＴｂ、位置補正印刷画像ＩＨＧの背景部ＢＧ２ａと位置補正投影画像ＴＨＧの背景部ＢＧ２ｂは互いに補色になっている。
【００８３】
位置補正印刷画像ＩＨＧ、位置補正投影画像ＴＨＧを以上のように構成したことにより、位置補正印刷画像ＩＨＧが印刷された用紙Ｓに対して位置補正投影画像ＴＨＧを投影したときに、位置ずれがある場合は、位置基準ＳＴａの線と位置基準ＳＴｂの線が重なり合う領域、および背景部ＢＧ２ａ，ＢＧ２ｂが重なり合う領域は黒く見えるようになり、投影位置の位置ずれに応じて黄または青の領域が見えるようになる（図１６参照）。例えば、位置補正投影画像ＴＨＧの投影位置が位置補正印刷画像ＩＨＧに対して下向きにずれている場合、位置基準ＳＴａと位置基準ＳＴｂとが重なり合う黒の領域の下側に、位置基準ＳＴｂの一部の黄色が現れるので、第３の実施例の位置ずれ検出方法２と同様にして位置ずれ方向を求めることができる。求められた位置ずれ方向の反対方向が位置ずれ補正方向となる。
【００８４】
ここで、例えば、投影位置の位置ずれ量が「ｂ」である場合、位置補正投影画像ＴＨＧの幅ｂである線は、位置補正印刷画像ＩＨＧの幅ｂである線から幅ｂの分だけずれるようにして、この幅ｂの線に隣り合う、幅ｂのスリット間の間隙に収まる。このとき、位置補正印刷画像ＩＨＧの幅ｂである青の線と、位置補正投影画像ＴＨＧの幅ｂである黄の線とが隣り合う。逆に、位置ずれ量が「ｂ」未満であれば、幅ｂの２つの線が一部重なり合うようにして黒く見える領域が出現する。位置ずれ量が「ｂ」を超えていれば、位置補正投影画像ＴＨＧの幅ｂの線は、位置補正印刷画像ＩＨＧにおける別の線幅の線と一部を重なり合うようにして黒く見える領域が出現する。このことを利用すると、位置補正印刷画像ＩＨＧの青の線と位置補正投影画像ＴＨＧの黄の線とが隣り合うものを探索して、探索された線の線幅により位置ずれ補正量を求めることができる。
【００８５】
位置ずれ補正量の求め方についてさらに説明する。図１７は、位置補正印刷画像ＩＨＧが印刷された用紙Ｓに対して位置補正投影画像ＴＨＧを投影したときに、撮像素子５００により撮像された画像の一部の領域ＤＡ（図１６参照）について拡大した図である。例えば、上下方向についての方向を求める場合、図１６，１７に示すようにスリット画像を上下方向に通るラインＢ−Ｂ’上の画素を開始位置Ｂから終端位置Ｂ’にスキャンする。スキャンはラインＢ−Ｂ’上の画素に次々に注目するようにして行い、注目画素の色の変化回数をカウントするとともに、注目画素の色が黒から青または黄、あるいは青または黄から黒に変化するときオフ、青から黄または黄から青に変化するときオンにフラグを切り替える。こうしたときのフラグのオンオフにより、位置補正印刷画像ＩＨＧの青の線と位置補正投影画像ＴＨＧの黄の線とが隣り合うようになる線の幅を検出する。
【００８６】
上下方向についての位置ずれ補正量を決定する処理について図１８のフローチャートに従って説明する。図１８の処理を開始すると、機密保護印刷制御手段１１１は、位置補正印刷画像ＩＨＧをプリンタ１０に印刷させ（ステップＳ２００）、投影ずれ検出手段３１１は、排紙された用紙Ｓの印刷面に向けて、プロジェクタ４０に位置補正投影画像ＴＨＧを投影させる（ステップＳ２０５）。そして、排紙された用紙Ｓを、プロジェクタ４０の撮像素子５００に撮像させて、ビットマップ画像を生成する（ステップＳ２１０）。
【００８７】
次に、投影ずれ検出手段３１１はスキャンの開始画素に注目する（ステップＳ２１５）。図１６，１７の例では、開始位置Ｂの画素に注目される。
【００８８】
次に、投影ずれ検出手段３１１はカウンタを初期化して、カウント値ＣＴを０に設定する（ステップＳ２２０）。
【００８９】
次に、投影ずれ検出手段３１１は、注目画素が、ラインＢ−Ｂ’の終端画素、すなわち終端位置Ｂ’の画素であるか否かを判断する（ステップＳ２２５）。終端画素であれば（ステップＳ２２５：Ｙｅｓ）、ステップＳ２５０に進む。終端画素でなければ（ステップＳ２２５：Ｎｏ）、ステップＳ２３０に進む。
【００９０】
ステップＳ２３０に処理が進むと、投影ずれ検出手段３１１は、注目画素Ｐ（ｉ）と１つ前に注目した画素Ｐ（ｉ−１）とが同じ色であるか否かを判断する。同じ色であれば（ステップＳ２３０：Ｙｅｓ）、次の画素に注目して（ステップＳ２５５）、ステップＳ２２５に戻る。異なる色であれば（ステップＳ２３０：Ｎｏ）、カウント値ＣＴを１つ加算してから（ステップＳ２３５）、ステップＳ２４０に進む。
【００９１】
ステップＳ２４０では、投影ずれ検出手段３１１は、注目画素Ｐ（ｉ）または画素Ｐ（ｉ−１）が黒であるか否かを判断する。注目画素Ｐ（ｉ）または画素Ｐ（ｉ−１）が黒であれば（ステップＳ２４０：Ｙｅｓ）、フラグＦＬをオフに設定し（ステップＳ２６０）、次の画素に注目してから（ステップＳ２５５）、ステップＳ２２５に戻る。注目画素Ｐ（ｉ）または画素Ｐ（ｉ−１）が黒でなければ（ステップＳ２４０：Ｎｏ）、フラグオフになっているか否かを判断する（ステップＳ２４５）。フラグオフになっていれば（ステップＳ２４５：Ｙｅｓ）、フラグＦＬをオンに設定し（ステップＳ２６５）、次の画素に注目してから（ステップＳ２５５）、ステップＳ２２５に戻る。フラグオフでなければ（ステップＳ２４５：Ｎｏ）、ステップＳ２５０に進む。
【００９２】
図１７の例において、以上に説明した処理に従って開始画素Ｂからスキャンを開始すると、区間Ｐ０については黒であるのでカウントアップされることなく、カウント値ＣＴ＝０となる。次に、位置Ｐ１の青の画素に注目されると、１つ前の画素と色が異なるためカウント値を１つ繰り上げるとともに（ＣＴ＝１）、フラグＦＬをオフにする。さらにスキャンを進めて、次に位置Ｐ２の黒の画素に注目されると、１つ前の画素と色が異なるためカウント値を１つ繰り上げるとともに（ＣＴ＝２）、注目画素の色が青から黒に変化するためフラグＦＬはオフのままになる。同様にして、スキャンが進むと、位置Ｐ３の黄の画素で「ＣＴ＝３，ＦＬがオフ」、位置Ｐ４の黒の画素で「ＣＴ＝４，ＦＬがオフ」、位置Ｐ５の青の画素で「ＣＴ＝５，ＦＬがオフ」となる。すなわち、黒と青または黄とを交互に繰り返し変化する間は、フラグＦＬはオフになる。
【００９３】
さらに、スキャンを進めて位置Ｐ６の黄の画素が注目されたとき、青から黄に変化するので「ＣＴ＝６，ＦＬがオン」となる。さらに、位置Ｐ７の青の画素が注目されると、カウント値を１つ繰り上げてＣＴ＝７とするが、このとき、フラグＦＬがオンの状態で青または黄の画素に注目されることとなる。これは、上述したように黒と青または黄とが交互に繰り返し変化する区間と異なり、位置Ｐ５〜Ｐ７では青から黄、黄から青へと注目画素の色が変化しているからである。フラグＦＬがオンの状態で青または黄の画素に注目されたとき、スキャンを終了してステップＳ２５０に進む。
【００９４】
ステップＳ２５０に処理が進むと、投影ずれ検出手段３１１は、補正量換算表を参照して、位置ずれ補正量を決定する。投影位置の位置ずれ量は、スキャン終了時のカウント値を用いて、スリット画像の線のうち端から何番目の線が、隣り合うスリット間隙と幅が同じになっているかを特定することによって求まる。隣り合うスリット間隙と幅が同じになっている線の幅（図１７ではＰ６〜Ｐ７の幅）が投影位置の位置ずれ量であり、この位置ずれ量を位置ずれ補正量として決定する。カウント値から補正量への変換には、カウント値ＣＴと補正量との関係を予め対応付けた補正量換算表ＴＬ（図１９参照）を用いる。補正量換算表ＴＬにおける補正量は、そのカウント値ＣＴに対応するスリット画像の線の線幅を示した値である。例えば、図１７に示すように、カウント値ＣＴ＝７となったときの注目画素が、下端から２番目の線の上端に位置するように、線幅ｂの線に対応しているので、補正量換算表ＴＬではカウント値ＣＴ＝７と補正量「ｂ」とが対応付けられている。同様に、他の線幅に対応するカウント値についても補正量換算表ＴＬに対応付けられているので、この補正量換算表ＴＬに従うことにより、カウント値ＣＴの値から補正量を求めることができる。なお、位置補正印刷画像ＩＨＧは５つの位置基準ＳＴａを有しているので、５つの位置基準ＳＴａのそれぞれについて補正量換算表ＴＬを参照して補正量を求め、求められた５つの補正量を平均するなどして実際の位置ずれ補正量を決定する。ステップＳ２５０において位置ずれ補正量が決定されると、図１８の処理を終了する。
【００９５】
また、上述の説明では上下方向の位置ずれを決定する方法について述べたが、図１６の左右に延びるラインＣ−Ｃ’についても図１７と同様の処理を行うようにして、左右方向の位置ずれ補正量を決定する。
【００９６】
こうして位置ずれの補正量を求めると、投影位置修正手段３１２は、レンズシフト機構６００を制御して補正量分だけ投影位置を動かさせる。これにより、投影位置の位置ずれが修正され、機密部ＳＥの部分が黒く見えるようになる。
【００９７】
第４の実施例によれば、第３の実施例の効果に加えて、以下の効果を得ることができる。
【００９８】
（９）投影位置がずれたために機密部ＳＥの部分が黒くならずに第３者に晒されてしまうことがなくなるので、機密部ＳＥの機密をより確実に保護することができる。
【００９９】
（１０）ユーザが投影位置を調整することなく、プロジェクタ４０が自律的に投影位置を調整しているので、簡易且つ正確に位置ずれを修正することができる。これにより、機密部ＳＥの機密をさらに確実に保護することができるようになる。
【０１００】
以上、本発明に係る第１ないし第４の実施例について説明したが、本発明はこれに限られることなく、様々な形態とすることもできる。以下、本発明の変形例について説明する。
【０１０１】
（変形例１）第１の実施例では、背景部ＢＧの黄に対して青の光を照明し、上記第３，４の実施例では背景部ＢＧの黄に対して青の画像を投影するように補色となるようにしたが、背景部ＢＧと、照明または投影画像ＴＧの色を逆にしてもよい。また、背景部ＢＧと、照明または投影画像ＴＧとの色は補色に限られない。例えば、照明または投影画像ＴＧの青に対して、背景部ＢＧを赤または緑としてもよい（図２０（ａ）参照）。この場合でも、青の光は背景部ＢＧで吸収されるので、背景部ＢＧが黒く見えるようになって機密部ＳＥの機密を保護することができる。
さらに、機密部ＳＥの色としては黒に限られることなく、照明装置３０による照明またはプロジェクタ４０による投影の結果、機密部ＳＥと背景部ＢＧとが略等しい色に見えるように設定されていればよい。例えば、機密部ＳＥの色を青、背景部ＢＧをシアンとしたとき、青あるいは赤の光を照明または投影してもよい（図２０（ｂ）参照）。青の光を照明または投影した場合、青の光は機密画像ＳＥおよび背景部ＢＧで反射されるので、機密画像ＳＥと背景部ＢＧとの双方が青に見えるようになって、機密部ＳＥの機密が保護される。赤の光を照明または投影した場合、赤の光は機密画像ＳＥおよび背景部ＢＧでともに吸収されるので、機密画像ＳＥと背景部ＢＧとの双方が黒に見えるようになって、機密部ＳＥの機密を保護することができる。
なお、位置補正印刷画像ＩＨＧおよび位置補正投影画像ＴＨＧについても、上述した機密部ＳＥおよび背景部ＢＧの場合と同様に、青と黄の組合せに限られない。
【０１０２】
（変形例２）第３，４の実施例の構成において、印刷中に用紙Ｓが排紙されている間、動いている用紙Ｓに合わせて画像を投影するようにしてもよい。また、印刷中、用紙Ｓが動いている間は、背景部ＢＧの補色である青の投影画像を全域に投影し、排紙が終わって用紙Ｓの動きが止まると、図９（ｂ）に示した投影画像に切り替えるようにしてもよい。
【０１０３】
（変形例３）第３の実施例の位置ずれ検出方法２において、図１２（ｃ）に示す画像からラインＡ−Ａ’に沿って黄または青の領域の画素数をカウントして、カウントされた画素数から位置ずれ補正量を求めるようにしてもよい。
【０１０４】
（変形例５）第４の実施例において、例えば、排紙された用紙Ｓに対して斜めに画像が投影された場合、合計５箇所の各々で求めた位置ずれ補正量に基づいて、プロジェクタの煽り補正機能を用いて投影画像を補正するようにしてもよい。
【０１０５】
（変形例６）第１ないし第４の実施例では、プリンタ１０の機密保護印刷制御手段１１１を中心に機密保護印刷を制御するようにしたが、ホストコンピュータまたはプロジェクタに機密保護印刷制御手段１１１の機能をもたせるようにしてもよい。
【０１０６】
（変形例７）本発明は、プリンタに限られることなく、複写機、複合機、プロッタ、ファックスなどに適用することもできる。
【図面の簡単な説明】
【０１０７】
【図１】第１の実施例に係る機密保護印刷システムの概略構成を示した図。
【図２】プリンタの構成を示した図。
【図３】機密保護印刷を説明するための図であり、（ａ）は印刷データの原画像、（ｂ）は印刷画像の一例を示した図。
【図４】機密保護を説明するための図であり、（ａ）は白色照明環境における印刷画像印刷後の用紙、（ｂ）は青色照明環境における印刷画像印刷後の用紙の見え方を示した図。
【図５】背景部および照明光の分光特性を示した図。
【図６】第２実施例に係る機密保護印刷システムの概略構成を示した図。
【図７】機密保護印刷を説明するための図であり、（ａ）は印刷画像、（ｂ）は投影画像、（ｃ）は投影画像の投影を受けたときの印刷画像が印刷された用紙の見え方を示した図。
【図８】第３の実施例に係るプロジェクタの構成を示した図。
【図９】機密保護印刷を説明するための図であり、（ａ）は印刷画像、（ｂ）は投影画像、（ｃ）は投影画像の投影を受けたときの印刷画像が印刷された用紙の見え方を示した図。
【図１０】位置合わせ方法１を説明するための図であり、（ａ）は印刷画像、（ｂ）は投影画像を示した図。
【図１１】投影画像の投影を受けた印刷画像の見え方を示した図であり、（ａ）は印刷画像と投影画像に位置ずれがない場合、（ｂ）は位置ずれがある場合の見え方を示した図。
【図１２】位置合わせ方法２を説明するための図であり、（ａ）は印刷画像、（ｂ）は投影画像、（ｃ）は投影画像の投影を受けたときの印刷画像が印刷された用紙の見え方を示した図。
【図１３】位置ずれ方向決定処理の流れを示したフローチャート。
【図１４】第４の実施例に係るプロジェクタの構成を示した図。
【図１５】位置ずれ補正を説明するための図であり、（ａ）は位置補正印刷画像、（ｂ）は位置補正投影画像を示した図。
【図１６】位置補正投影画像の投影を受けたときの、印刷された用紙上の位置補正印刷画像の見え方の一例を示した図。
【図１７】位置ずれ補正量の決定方法を説明するための図。
【図１８】位置ずれ補正量決定処理の流れを示したフローチャート。
【図１９】補正量換算表の一例を示した図。
【図２０】第１の変形例の説明図であり、（ａ）、（ｂ）は分光特性おとび分光反射率特性の一例を示した図。
【符号の説明】
【０１０８】
１…機密保護印刷システム、１０…画像形成装置としてのプリンタ、２０…ホストコンピュータ、３０…照明装置、４０…プロジェクタ、１００…印刷制御部、１１０…ＣＰＵ、１１１…機密保護印刷制御手段、１２０…ＲＯＭ、１３０…ＲＡＭ、１４０…通信インターフェイス、１５０…エンジンインターフェイス、２００…印刷エンジン、２１０…画像形成機構、２２０…紙搬送機構、３００…表示制御部、３１０…ＣＰＵ、３１１…投影ずれ検出手段、３１２…投影位置修正手段、３２０…ＲＯＭ、３３０…ＲＡＭ、３４０…信号処理部、３５０…Ｌ／Ｖ駆動部、３６０…通信インターフェイス、４００…光学エンジン、４１０…ライトバルブ、４２０…照明光学系、４３０…投写レンズ、５００…撮像部としての撮像素子、６００…投影位置調整機構としてのレンズシフト機構、Ｓ…用紙、ＯＧ…原画像、ＳＥ…機密画像としての機密部、ＢＧ…背景画像としての背景部、ＩＧ…印刷画像、ＴＧ…投影画像、ＩＨＧ…位置補正印刷画像、ＳＴａ…第１の位置基準画像としての位置基準、ＴＨＧ…位置補正投影画像、ＳＴｂ…第２の位置基準画像としての位置基準。
【図１】
2008272960.tif 000003
【図２】
2008272960.tif 000004
【図３】
2008272960.tif 000005
【図４】
2008272960.tif 000006
【図５】
2008272960.tif 000007
【図６】
2008272960.tif 000008
【図７】
2008272960.tif 000009
【図８】
2008272960.tif 000010
【図９】
2008272960.tif 000011
【図１０】
2008272960.tif 000012
【図１１】
2008272960.tif 000013
【図１２】
2008272960.tif 000014
【図１３】
2008272960.tif 000015
【図１４】
2008272960.tif 000016
【図１５】
2008272960.tif 000017
【図１６】
2008272960.tif 000018
【図１７】
2008272960.tif 000019
【図１８】
2008272960.tif 000020
【図１９】
2008272960.tif 000021
【図２０】
2008272960.tif 000022